(57)【要約】【課題】患者の経過情報参照時におけるユーザの煩わしさを解消することを課題とする。【解決手段】情報表示装置は、経過情報の表示要求を受け付けた場合に、経過情報の参照時に選択されていた表示レンジごとの統計情報に基づいて経過情報の表示レンジを決定し、決定した表示レンジで経過情報を表示する。このようなことから、患者の経過情報を参照する度に、各ユーザが、経過情報の表示レンジを再設定する必要がなくなり、患者の経過情報参照時におけるユーザの煩わしさを解消できる。【選択図】図１
2010231265.tif 000002
【特許請求の範囲】
【請求項１】
患者状態の経過を示す経過情報の参照時に選択されていた表示レンジごとの統計情報を記憶する統計情報記憶部と、
前記経過情報の表示要求を受け付けた場合に、前記統計情報記憶部に記憶されている統計情報に基づいて、前記経過情報の表示レンジを決定する表示レンジ決定部と、
前記表示レンジ決定部により決定された表示レンジで前記経過情報を表示する表示部と
を有することを特徴とする情報表示装置。
【請求項２】
前記統計情報記憶部は、患者を一意に特定する患者識別子および前記経過情報の参照時間に対応付けて、前記表示レンジの選択回数を前記表示レンジごとの統計情報として記憶し、
前記経過情報の表示要求を受け付けた場合に、前記表示要求に対応する患者識別子および前記表示要求の受付時間をキーとして、前記表示レンジ記憶部に記憶されているレコードの中から、選択回数が最大である表示レンジを検索する表示レンジ検索部をさらに有し、
前記表示レンジ決定部は、前記表示レンジ検索部により検索された表示レンジを前記経過情報の表示レンジに決定することを特徴とする請求項１に記載の情報表示装置。
【請求項３】
前記表示レンジ検索部は、選択回数が最大である表示レンジを検索できなかった場合には、前記表示要求に受付時間に直近の参照時間をキーとして、直近の参照時間に対応する表示レンジの中から、選択回数が最大である表示レンジを検索することを特徴とする請求項２に記載の情報表示装置。
【請求項４】
前記統計情報記憶部は、前記患者識別子および前記参照時間に対応付けた前記選択回数を日ごとに記憶し、
前記表示レンジ検索部は、選択回数が最大である表示レンジを検索できなかった場合に、前記統計情報記憶部に記憶されている前記選択回数について日付に応じた重み付けを行い、重み付けされた選択回数を用いて前記表示レンジを評価するためのスコアを算出するスコア算出部をさらに有し、
前記表示レンジ決定部は、前記スコア算出部により算出されたスコアが最大である表示レンジを前記経過情報の表示レンジに決定することを特徴とする請求項２に記載の情報表示装置。
【請求項５】
前記経過情報の表示要求を受け付けた場合に、患者状態の経過を示す経過情報の参照時に選択されていた表示レンジに関する統計情報を記憶する統計情報記憶部から前記統計情報をと取り込み、当該取り込まれた統計情報に基づいて、前記経過情報の表示レンジを決定する表示レンジ決定手順と、
前記表示レンジ決定手順により決定された表示レンジで前記経過情報を表示する表示手順と
をコンピュータに実行させることを特徴とする情報表示プログラム。
【発明の詳細な説明】
【技術分野】
【０００１】
本発明は、情報表示装置および情報表示プログラムに関する。
【背景技術】
【０００２】
近年、病院やクリニックなどでは、患者の診断結果や処方内容、看護経過などを電子的なデータとして記録、保存する電子カルテシステムが普及してきている。例えば、カルテデータを表示する場合に、システムに備えられた機能メニューを縮小して、カルテデータとともに提供する技術なども提案されている。
【先行技術文献】
【特許文献】
【０００３】
【特許文献１】特開２００７−３０４６６２号公報
【発明の概要】
【発明が解決しようとする課題】
【０００４】
ところで、電子カルテシステムにアクセスして、患者の状態に関する経過情報などを参照する度に、各ユーザが、患者の経過情報を表示する表示レンジの時間単位を希望する単位に再設定する必要があるなど、患者の経過情報参照時における煩わしさが問題となっていた。
【０００５】
開示の技術は、上記に鑑みてなされたものであって、電子カルテシステムの操作性、特に、患者の経過情報参照時におけるユーザの煩わしさを解消することが可能な情報表示装置および情報表示プログラムを提供することを目的とする。
【課題を解決するための手段】
【０００６】
本願の開示する技術は、一つの態様において、患者状態の経過を示す経過情報の参照時に選択されていた表示レンジに関する統計情報を記憶する統計情報記憶部と、前記経過情報の表示要求を受け付けた場合に、前記統計情報記憶部に記憶されている統計情報に基づいて、前記経過情報の表示レンジを決定する表示レンジ決定部と、前記表示レンジ決定部により決定された表示レンジで前記経過情報を表示する表示部とを有する。
【発明の効果】
【０００７】
本願の開示する技術の一つの態様によれば、患者の経過情報参照時におけるユーザの煩わしさを解消できる。
【図面の簡単な説明】
【０００８】
【図１】図１は、実施例１に係る情報表示装置の構成を示す図である。
【図２】図２は、実施例１に係る表示レンジ記憶部に記憶される情報の構成例を示す図である。
【図３】図３は、実施例１に係る表示レンジが１日単位の時の経過情報の表示例を示す図である。
【図４】図４は、実施例１に係る表示レンジが１時間単位の時の経過情報の表示例を示す図である。
【図５】図５は、実施例１に係る表示レンジが３時間単位の時の経過情報の表示例を示す図である。
【図６】図６は、実施例１に係る情報表示装置による処理の流れを示す図である。
【図７】図７は、実施例２に係る表示レンジ記憶部に記憶される情報の構成例を示す図である。
【図８】図８は、情報表示プログラムを実行するコンピュータを示す図である。
【発明を実施するための形態】
【０００９】
以下に、図面を参照しつつ、本願の開示する情報表示装置および情報表示プログラムの一実施形態について詳細に説明する。なお、情報表示装置の一実施形態として後述する実施例１により、本願が開示する情報表示装置が限定されるものではない。
【実施例１】
【００１０】
実施例１に係る情報表示装置は、患者状態の経過を示す経過情報を表示して看護師などに提供することを概要とする。そして、実施例１に係る情報表示装置の骨子は、経過情報の表示要求を受け付けた場合に、経過情報の参照時に選択されていた表示レンジごとの統計情報に基づいて経過情報の表示レンジを決定し、決定した表示レンジで経過情報を表示する点にある。以下、実施例１に係る情報表示装置について具体的に説明する。
【００１１】
［情報表示装置の構成（実施例１）］
図１は、実施例１に係る情報表示装置の構成を示す図である。同図に示すように、実施例１に係る情報表示装置２００は、入出力制御部２１０、記憶部２２０および制御部２３０を有する。なお、同図には、実施例１に係る情報表示装置を説明する上で必要となる処理機能部を示す。入出力制御部２１０は、各種情報の入出力を制御する。
【００１２】
記憶部２２０は、制御部２３０による各種処理に必要なデータおよびプログラムを記憶する。そして、記憶部２２０は、図１に示すように、経過情報記憶部２２１および表示レンジ記憶部２２２を有する。
【００１３】
経過情報記憶部２２１は、体重や血圧、血液成分など、患者の状態についての測定結果あるいは検査結果である経過情報を記憶する。
【００１４】
表示レンジ記憶部２２２は、患者状態の経過を示す経過情報の参照時に選択されていた表示レンジに関する統計情報を記憶する。具体的には、患者を一意に特定する患者ＩＤおよび患者の経過情報の参照時間に対応付けて各表示レンジの選択回数を記憶する。さらには、表示レンジ記憶部２２２は、患者ＩＤごとに、各参照時間における最適レンジを記憶する。
【００１５】
例えば、図２に示すように、患者ＩＤ「５６３１」および参照時間「０時」に対応付けて、レンジ１の選択回数「２０」、レンジ２の選択回数「４」、レンジ３の選択回数「６」、レンジ４の選択回数「６」、レンジ５の選択回数「８」を記憶する。さらには、同図に示すように、患者ＩＤ「５６３１」に対応する参照時間「０時」における最適レンジとして「レンジ１」を記憶する。なお、図２は、参照時間「０時」の最適レンジが最適レンジの欄に挿入されている時の情報の構成例を示す。図２は、実施例１に係る表示レンジ記憶部に記憶される情報の構成例を示す図である。
【００１６】
ここで、参照時間は所定の間隔を持った時間帯を表し、例えば、「０時」は、「０時０分〜０時５９分」までを表す。また、最適レンジとは、所定の患者について所定の時間で経過情報を参照する場合に、経過情報の参照者である看護師等による選択回数が最大であった表示レンジに該当する。
【００１７】
また、レンジ１〜５は、経過情報記憶部２２１に記憶されている経過情報を所定の時間単位で表示するための表示レンジを示し、１日単位、１時間単位などの表示レンジに該当する。
【００１８】
例えば、図３に示すように、時間レンジとして一日単位がユーザから選択された場合には、１日単位で患者の経過情報を表示する。また、例えば、図４に示すように、時間レンジとして１時間単位がユーザである看護師から選択された場合には、１時間単位で患者の経過情報を表示する。また、例えば、図５に示すように、時間レンジとして３時間単位がユーザから選択された場合には、３時間単位で患者の経過情報を表示する。図３は、実施例１に係る表示レンジが１日単位の時の経過情報の表示例を示す図である。図４は、実施例１に係る表示レンジが１時間単位の時の経過情報の表示例を示す図である。図５は、実施例１に係る表示レンジが３時間単位の時の経過情報の表示例を示す図である。
【００１９】
制御部２３０は、所定の制御プログラム、各種の処理手順などを規定したプログラムおよび所要データを格納するための内部メモリを有し、これらによって種々の処理を実行する。そして、制御部２３０は、図１に示すように、表示レンジ決定処理部２３１および表示制御処理部２３２を有する。
【００２０】
表示レンジ決定処理部２３１は、経過情報の表示要求をユーザから受け付けた場合に、表示レンジ記憶部２２２に記憶されている表示レンジに基づいて、経過情報の表示レンジを決定する。なお、具体的な処理内容については、後述する情報表示装置２００の処理の流れ（図６）の中で説明する。
【００２１】
表示制御処理部２３２は、表示レンジ決定処理部２３１により決定された表示レンジで経過情報を表示するように制御する。なお、具体的な処理内容については、後述する情報表示装置２００の処理の流れ（図６）の中で説明する。
【００２２】
［情報表示装置による処理（実施例１）］
図６は、実施例１に係る情報表示装置による処理の流れを示す図である。なお、以下では、図１に示す表示レンジ決定処理部２３１および表示制御処理部２３２による具体的な処理の内容について説明する。
【００２３】
図６に示すように、表示レンジ決定処理部２３１は、経過情報の表示要求の入力を受け付けると（ステップＳ１）、表示レンジ記憶部２２２に記憶されているレコードの中から、表示要求の受付時間に対応した最適レンジの検索を試みる（ステップＳ２）。
【００２４】
具体的には、表示レンジ決定処理部２３１は、表示要求に含まれる患者ＩＤおよび表示要求の受付時間をキーとして、表示レンジ記憶部２２２に記憶されているレコードの中から最適レンジの検索を試みる。
【００２５】
例えば、図２を用いて、患者ＩＤ「５６３１」、経過情報の受付時間「０時１０分」であった時の最適レンジの検索について説明する。この場合、表示レンジ決定処理部２３１は、表示レンジ記憶部２２２に記憶されている患者ＩＤ「５６３１」のレコード内に、参照時間「０時」に関連付けられた最適レンジが存在するか否かを検索する。
【００２６】
検索の結果、表示要求の受付時間に対応する最適レンジが検索された場合には（ステップＳ２肯定）、表示レンジ決定処理部２３１は、表示制御処理部２３２に対して、検索した最適レンジを通知し、通知した最適レンジで経過情報を表示するように指示する。
【００２７】
表示制御処理部２３２は、表示レンジ決定処理部２３１から最適レンジの通知および経過情報の表示指示を受け付けると、表示レンジ決定処理部２３１から受け付けた最適レンジで経過情報を表示する（ステップＳ３）。
【００２８】
表示制御処理部２３２により経過情報が表示された後、表示レンジ決定処理部２３１は、表示レンジの確定されるまで待機する（ステップＳ４）。なお、表示レンジ決定処理部２３１は、経過情報の表示終了や表示レンジの確定の入力をユーザから受け付けることで、表示レンジの確定待機状態を解除して次の処理に移行する。また、表示レンジ決定処理部２３１は、表示レンジの確定を待機している間に、ユーザから表示レンジの変更指示を受け付けた場合には、受け付けられた表示レンジの変更指示に応じて表示レンジを変更して、再び表示レンジの確定を待機する。
【００２９】
そして、表示レンジが確定すると（ステップＳ４肯定）、表示レンジ決定処理部２３１は、表示要求の入力受付時間および現時点（経過情報の表示終了指示を受け付けた時点）での表示レンジに対応する表示レンジ記憶部２２２のレコードを更新する（ステップＳ５）。
【００３０】
ここで、ステップＳ２の説明に戻ると、検索の結果、表示要求の受付時間に対応する最適レンジが検索されなかった場合には（ステップＳ２否定）、表示レンジ決定処理部２３１は、表示要求の受付時間の直近時間に対応した最適レンジの検索要求を試みる（ステップＳ６）。
【００３１】
例えば、図２を用いて、患者ＩＤ「５６３１」、経過情報の受付時間「１時１０分」であった時の最適レンジの検索について説明する。この場合、表示レンジ決定処理部２３１は、表示レンジ記憶部２２２に記憶されている患者ＩＤ「５６３１」のレコード内に、直近時間、例えば、参照時間「０時」または「２時」に関連付けられた最適レンジが存在するか否かを検索する。
【００３２】
検索の結果、表示要求の入力受付時間の直近時間に対応する最適レンジが検索できた場合には（ステップＳ６肯定）、表示レンジ決定処理部２３１は、表示制御処理部２３２に対して、検索した直近時間に対応する最適レンジを通知し、通知した最適レンジで経過情報を表示するように指示する。
【００３３】
そして、上記のステップＳ３で説明したように、表示制御処理部２３２は、表示レンジ決定処理部２３１から受け付けた最適レンジで経過情報を表示する。
【００３４】
一方、検索の結果、表示要求の入力受付時間の直近時間に対応する最適レンジが検索できなかった場合には（ステップＳ６否定）、表示レンジ決定処理部２３１は、表示制御処理部２３２に対して、予めデフォルトとして設定されている表示レンジ（例えば、１日単位）を通知し、通知した最適レンジで経過情報を表示するように指示する（ステップＳ７）。
【００３５】
表示制御処理部２３２は、表示レンジ決定処理部２３１からデフォルトの表示レンジの通知および経過情報の表示指示を受け付けると、表示レンジ決定処理部２３１から受け付けた最適レンジで経過情報を表示する（ステップＳ７）。そして、上記のステップＳ５で説明したように、表示レンジ決定処理部２３１は、表示レンジの確定を待って、受付時間および表示レンジに対応するレコード（選択回数）を更新する。
【００３６】
［実施例１による効果］
上述してきたように、実施例１によれば、情報表示装置２００は、経過情報の表示要求を受け付けた場合に、経過情報の参照時に選択されていた表示レンジごとの統計情報に基づいて経過情報の表示レンジを決定し、決定した表示レンジで経過情報を表示する。このようなことから、患者の経過情報を参照する度に、各ユーザが、経過情報の表示レンジを再設定する必要がなくなり、患者の経過情報参照時におけるユーザの煩わしさを解消できる。
【００３７】
また、実施例１によれば、表示レンジが確定されるまでユーザから表示レンジの変更を受け付け、最終的に確定した表示レンジと患者ＩＤおよび参照時間とが関連付けられた統計情報が記憶される。そして、この統計情報に基づいて表示レンジを決定する。このようなことから、ユーザの希望により即した表示レンジで経過情報を表示できる。
【実施例２】
【００３８】
また、上記の実施例１では、患者ＩＤおよび参照時間に対応付けて、各表示レンジの選択回数を表示レンジ記憶部２２２に記憶する場合を説明した。しかしながら、これに限定されるものではなく、例えば、図７に示すように、患者ＩＤおよび参照時間に対応付けた各表示レンジの選択回数を日付ごとに表示レンジ記憶部に記憶するようにしてもよい。図７は、実施例２に係る表示レンジ記憶部に記憶される情報の構成例を示す図である。
【００３９】
そして、情報表示装置２００は、経過情報の表示要求を受け付けて最適レンジの検索を試みた結果、最適レンジを検索できなかった場合には、以下の説明するようにして、表示レンジを決定する。
【００４０】
具体的には、情報表示装置２００は、表示レンジ記憶部２２２に記憶されている選択回数について日付に応じた重み付けを行い、重み付けされた選択回数を用いて表示レンジを評価するためのスコアを算出する。例えば、表示要求の受付日に近い日の選択回数ほど高い重み付けを行う。そして、スコアが最も高い選択回数に関連付けられた表示レンジを経過情報の表示レンジとして決定する。
【００４１】
このようなことから、上記の実施例１で説明した方法（図６参照）を用いて最適レンジが決定できなかった場合は、上述したスコアを用いて、ユーザのより希望するものに近しい表示レンジが決定できる。
【実施例３】
【００４２】
以下、本願の開示する情報表示装置および情報表示プログラムの他の実施形態を説明する。
【００４３】
（１）装置構成等
図１に示した情報表示装置２００の各構成要素は機能概念的なものであり、必ずしも物理的に図示の如く構成されていることを要しない。すなわち、情報表示装置２００の分散・統合の具体的形態は図示のものに限られず、例えば、表示レンジ決定処理部２３１および表示制御処理部２３２を機能的あるいは物理的に統合する。
【００４４】
このように、情報表示装置２００の全部または一部を、各種の負荷や使用状況などに応じて、任意の単位で機能的または物理的に分散・統合して構成することができる。さらに、情報表示装置２００にて行なわれる各処理機能（図６等参照）は、その全部または任意の一部が、ＣＰＵおよび当該ＣＰＵにて解析実行されるプログラムにて実現され、あるいは、ワイヤードロジックによるハードウェアとして実現され得る。
【００４５】
（２）情報表示プログラム
また、上記の実施例１で説明した情報表示装置２００の各種の処理（例えば、図６参照）は、あらかじめ用意されたプログラムをパーソナルコンピュータやワークステーションなどのコンピュータシステムで実行することによって実現することができる。
【００４６】
そこで、以下では、図８を用いて、上記の実施例で説明した情報表示装置２００と同様の機能を有する情報表示プログラムを実行するコンピュータの一例を説明する。
【００４７】
図８は、情報表示プログラムを実行するコンピュータを示す図である。なお、同図には、情報表示プログラムの実行するコンピュータを説明するために必要となる機能部を記載する。
【００４８】
同図に示すように、情報表示装置２００としてコンピュータ３００は、入出力制御部３１０、ＨＤＤ３２０、ＲＡＭ３３０およびＣＰＵ３４０をバス４００で接続して構成される。
【００４９】
ここで、入出力制御部３１０は、各種情報の入出力を制御する。ＨＤＤ３２０は、ＣＰＵ３４０による各種処理の実行に必要な情報を記憶する。ＲＡＭ３３０は、各種情報を一時的に記憶する。ＣＰＵ３４０は、各種演算処理を実行する。
【００５０】
そして、ＨＤＤ３２０には、図８に示すように、図１に示した情報表示装置２００の各処理部と同様の機能を発揮する情報表示プログラム３２１と、情報表示用データ３２２とがあらかじめ記憶されている。なお、この情報表示プログラム３２１を適宜分散させて、ネットワークを介して通信可能に接続された他のコンピュータの記憶部に記憶させておくこともできる。
【００５１】
そして、ＣＰＵ３４０が、この情報表示プログラム３２１をＨＤＤ３２０から読み出してＲＡＭ３３０に展開することにより、図８に示すように、情報表示プログラム３２１は情報表示プロセス３３１として機能するようになる。すなわち、情報表示プロセス３３１は、情報表示用データ３２２等をＨＤＤ３２０から読み出して、ＲＡＭ３３０において自身に割り当てられた領域に展開し、この展開したデータ等に基づいて各種処理を実行する。
【００５２】
なお、情報表示プロセス３３１は、図１に示した情報表示装置２００の制御部２３０（例えば、表示レンジ決定処理部２３１および表示制御処理部２３２）において実行される処理に対応する。
【００５３】
なお、上記した情報表示プログラム３２１については、必ずしも最初からＨＤＤ３２０に記憶させておく必要はない。例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」などに各プログラムを記憶させておき、コンピュータ３００がこれらから各プログラムを読み出して実行するようにしてもよい。
【００５４】
さらには、公衆回線、インターネット、ＬＡＮ、ＷＡＮなどを介してコンピュータ３００に接続される「他のコンピュータ（またはサーバ）」などに上記した情報表示プログラム３２１を記憶させておき、コンピュータ３００がこれらから各プログラムを読み出して実行するようにしてもよい。
【符号の説明】
【００５５】
２００  情報表示装置
２１０  入出力制御部
２２０  記憶部
２２１  経過情報記憶部
２２２  表示レンジ記憶部
２３０  制御部
２３１  表示レンジ決定処理部
２３２  表示制御処理部
３００  コンピュータ
３１０  入出力制御部
３２０  ＨＤＤ（Hard Disk Drive）
３２１  情報表示プログラム
３２２  情報表示用データ
３３０  ＲＡＭ（Random Access Memory）
３３１  情報表示プロセス
３４０  ＣＰＵ（Central Processing Unit）
４００  バス
【図１】
2010231265.tif 000003
【図２】
2010231265.tif 000004
【図３】
2010231265.tif 000005
【図４】
2010231265.tif 000006
【図５】
2010231265.tif 000007
【図６】
2010231265.tif 000008
【図７】
2010231265.tif 000009
【図８】
2010231265.tif 000010